【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
コンテンツを受信するコンテンツ受信部と、前記コンテンツを蓄積する蓄積部と、前記コンテンツを送信する送信部とを有する電子機器であって、
前記電子機器とは別の電子機器に、前記コンテンツの送信開始に関する第１の情報に関連する時間情報を送信する情報送信部と、
前記別の電子機器から、前記コンテンツの送信開始に関する第２の情報を受信する情報受信部と、
前記第１の情報に基づいて前記受信したコンテンツを前記蓄積部に蓄積し、前記第２の情報に基づいて前記別の電子機器に前記コンテンツを送信するように制御する制御部と
を有することを特徴とする電子機器。
【請求項２】
映像データを受信する映像受信部と、受信した映像データを蓄積する蓄積部と、前記映像データを表示する表示部とを有するテレビジョン装置であって、
ユーザからの離席情報を受信する離席情報受信部と、
前記離席情報に基づいて、前記映像データの前記蓄積部への蓄積開始を制御する制御部と、
前記蓄積部で蓄積された映像データを前記ユーザの離席先のテレビジョン装置に送信する送信部と
を有することを特徴とするテレビジョン装置。
【請求項３】
前記送信部は、前記蓄積部で蓄積された映像データに先立って、少なくともチャンネル情報を含む視聴情報を前記離席先のテレビジョン装置に送信することを特徴とする請求項２に記載のテレビジョン装置。
【請求項４】
前記ユーザの離席先のテレビジョン装置を検出する離席先検出部を更に有することを特徴とする請求項２又は３に記載のテレビジョン装置。
【請求項５】
前記制御部は、前記離席先のテレビジョン装置が確定している場合には、前記離席情報に基づいて、前記離席先のテレビジョン装置の蓄積部に前記離席先のテレビジョン装置の映像受信部で受信した映像データを蓄積させるコマンドを、前記離席先のテレビジョン装置に送信することを特徴とする請求項２に記載のテレビジョン装置。
【請求項６】
映像データを受信する映像受信部と、前記映像データを表示する表示部とを有するテレビジョン装置であって、
ユーザからの着席情報を受信する着席情報受信部と、
前記着席情報に基づいて、前記表示部への入力を、前記映像受信部からの入力と前記ユーザの離席元のテレビジョン装置からの入力との間で切り替える切り替え部と
を有することを特徴とするテレビジョン装置。
【請求項７】
前記映像受信部で受信した前記映像データを蓄積する蓄積部を更に有し、
前記蓄積部は、前記離席元のテレビジョン装置から送信された視聴情報に基づいて、前記映像データを蓄積することを特徴とする請求項６に記載のテレビジョン装置。
【請求項８】
前記離席元のテレビジョン装置を検出する離席元検出部を更に有することを特徴とする請求項６又は７に記載のテレビジョン装置。
【請求項９】
映像データを受信する第１の映像受信部と、受信した映像データを蓄積する第１の蓄積部と、前記映像データを表示する第１の表示部と、ユーザからの離席情報を受信する離席情報受信部と、前記離席情報に基づいて前記映像データの前記第１の蓄積部への蓄積開始を制御する制御部と、前記第１の蓄積部で蓄積された映像データを第２のテレビジョン装置に送信する送信部とを有する第１のテレビジョン装置と、
映像データを受信する第２の映像受信部と、前記映像データを表示する第２の表示部と、ユーザからの着席情報を受信する着席情報受信部と、前記着席情報に基づいて前記第２の表示部への入力を、前記第２の映像受信部からの入力と前記第１のテレビジョン装置からの入力との間で切り替える切り替え部とを有する前記第２のテレビジョン装置とを有し、
前記第１のテレビジョン装置と前記第２のテレビジョン装置とがネットワークを介して接続されていることを特徴とするネットワークテレビジョンシステム。
【請求項１０】
前記第１のテレビジョン装置と前記第２のテレビジョン装置とでの、視聴終了と視聴開始の時間差を算出し、その算出結果に基づいて、前記第２のテレビジョン装置が有する第２の蓄積部に蓄積されている映像データの表示に切り替えることを特徴とする請求項９に記載のネットワークテレビジョンシステム。
【請求項１１】
映像データを受信して表示するテレビジョン装置の制御方法であって、
ユーザからの離席情報を受信する離席情報受信ステップと、
前記離席情報を受信した後に受信した映像データを蓄積する蓄積ステップと、
前記蓄積ステップにより蓄積された映像データを前記ユーザの離席先のテレビジョン装置に送信する送信ステップと
を有することを特徴とするテレビジョン装置の制御方法。
【請求項１２】
映像データを受信して表示するテレビジョン装置の制御方法であって、
ユーザからの着席情報を検出する着席情報検出ステップと、
前記着席情報を検出した後、前記ユーザの離席元のテレビジョン装置から離席後の映像データを受信する受信ステップと、
前記受信ステップで受信した前記映像データを表示する表示ステップと
を有することを特徴とするテレビジョン装置の制御方法。
【請求項１３】
映像データを受信する映像受信部と、受信した映像データを蓄積する蓄積部と、前記映像データを表示する表示部とを有するテレビジョン装置であって、
ユーザからの離席情報を受信する離席情報受信部と、
前記離席情報に基づいて、前記映像データの前記蓄積部への蓄積開始を制御する制御部と、
前記蓄積部で蓄積された映像データを前記ユーザの離席先のテレビジョン装置に送信する送信部と、
ユーザからの着席情報を受信する着席情報受信部と、
前記着席情報に基づいて、前記表示部への入力を、前記映像受信部からの入力と前記ユーザの離席元のテレビジョン装置からの入力との間で切り替える切り替え部と
を有することを特徴とするテレビジョン装置。
【手続補正２】
【補正対象書類名】明細書
【補正対象項目名】発明の名称
【補正方法】変更
【補正の内容】
【発明の名称】テレビジョン装置、その制御方法及びネットワークテレビジョンシステム
【手続補正３】
【補正対象書類名】明細書
【補正対象項目名】０００１
【補正方法】変更
【補正の内容】
【０００１】
本発明は、電子機器、テレビジョン装置、その制御方法及びネットワークテレビジョンシステムに関し、特に、ＩＥＥＥ１３９４を使った映像等の表示を行なうものに関する。
【手続補正４】
【補正対象書類名】明細書
【補正対象項目名】００１０
【補正方法】変更
【補正の内容】
【００１０】
本発明は、上述の問題点にかんがみてなされたものであり、ユーザがテレビジョン装置から離席し、離席先の他のテレビジョン装置で視聴を行なう場合でも、ユーザが離席先のテレビジョン装置の操作で戸惑うことなく、離席後の映像等を視聴することを可能とする電子機器、テレビジョン装置、その制御方法及びネットワークテレビジョンシステムを提供することを目的とする。
【手続補正５】
【補正対象書類名】明細書
【補正対象項目名】００１１
【補正方法】変更
【補正の内容】
【００１１】
本発明の電子機器は、コンテンツを受信するコンテンツ受信部と、前記コンテンツを蓄積する蓄積部と、前記コンテンツを送信する送信部とを有する電子機器であって、前記電子機器とは別の電子機器に、前記コンテンツの送信開始に関する第１の情報（離席元の時刻情報ｔａ）に関連する時間情報（ｔｉｎｔ）を送信する情報送信部と、前記別の電子機器から、前記コンテンツの送信開始に関する第２の情報（離席先の時刻情報ｔｂ）を受信する情報受信部と、前記第１の情報に基づいて前記受信したコンテンツを前記蓄積部に蓄積し、前記第２の情報に基づいて前記別の電子機器に前記コンテンツを送信するように制御する制御部とを有する。
【手続補正６】
【補正対象書類名】明細書
【補正対象項目名】００１２
【補正方法】変更
【補正の内容】
【００１２】
本発明のテレビジョン装置は、映像データを受信する映像受信部と、受信した映像データを蓄積する蓄積部と、前記映像データを表示する表示部とを有するテレビジョン装置であって、ユーザからの離席情報を受信する離席情報受信部と、前記離席情報に基づいて、前記映像データの前記蓄積部への蓄積開始を制御する制御部と、前記蓄積部で蓄積された映像データを前記ユーザの離席先のテレビジョン装置に送信する送信部とを有する。
また、本発明のテレビジョン装置における他の態様は、映像データを受信する映像受信部と、前記映像データを表示する表示部とを有するテレビジョン装置であって、ユーザからの着席情報を受信する着席情報受信部と、前記着席情報に基づいて、前記表示部への入力を、前記映像受信部からの入力と前記ユーザの離席元のテレビジョン装置からの入力との間で切り替える切り替え部とを有する。
また、本発明のテレビジョン装置におけるその他の態様は、映像データを受信する映像受信部と、受信した映像データを蓄積する蓄積部と、前記映像データを表示する表示部とを有するテレビジョン装置であって、ユーザからの離席情報を受信する離席情報受信部と、前記離席情報に基づいて、前記映像データの前記蓄積部への蓄積開始を制御する制御部と、前記蓄積部で蓄積された映像データを前記ユーザの離席先のテレビジョン装置に送信する送信部と、ユーザからの着席情報を受信する着席情報受信部と、前記着席情報に基づいて、前記表示部への入力を、前記映像受信部からの入力と前記ユーザの離席元のテレビジョン装置からの入力との間で切り替える切り替え部とを有する。
【手続補正７】
【補正対象書類名】明細書
【補正対象項目名】００１３
【補正方法】変更
【補正の内容】
【００１３】
本発明のネットワークテレビジョンシステムは、映像データを受信する第１の映像受信部と、受信した映像データを蓄積する第１の蓄積部と、前記映像データを表示する第１の表示部と、ユーザからの離席情報を受信する離席情報受信部と、前記離席情報に基づいて前記映像データの前記第１の蓄積部への蓄積開始を制御する制御部と、前記第１の蓄積部で蓄積された映像データを第２のテレビジョン装置に送信する送信部とを有する第１のテレビジョン装置と、映像データを受信する第２の映像受信部と、前記映像データを表示する第２の表示部と、ユーザからの着席情報を受信する着席情報受信部と、前記着席情報に基づいて前記第２の表示部への入力を、前記第２の映像受信部からの入力と前記第１のテレビジョン装置からの入力との間で切り替える切り替え部とを有する前記第２のテレビジョン装置とを有し、前記第１のテレビジョン装置と前記第２のテレビジョン装置とがネットワークを介して接続されている。
【手続補正８】
【補正対象書類名】明細書
【補正対象項目名】００１４
【補正方法】変更
【補正の内容】
【００１４】
本発明のテレビジョン装置の制御方法は、映像データを受信して表示するテレビジョン装置の制御方法であって、ユーザからの離席情報を受信する離席情報受信ステップと、前記離席情報を受信した後に受信した映像データを蓄積する蓄積ステップと、前記蓄積ステップにより蓄積された映像データを前記ユーザの離席先のテレビジョン装置に送信する送信ステップとを有する。
また、本発明のテレビジョン装置の制御方法における他の態様は、映像データを受信して表示するテレビジョン装置の制御方法であって、ユーザからの着席情報を検出する着席情報検出ステップと、前記着席情報を検出した後、前記ユーザの離席元のテレビジョン装置から離席後の映像データを受信する受信ステップと、前記受信ステップで受信した前記映像データを表示する表示ステップとを有する。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００３５
【補正方法】変更
【補正の内容】
【００３５】
続いて、図４に示した１３９４Ｉ／Ｆ部１０内のAsynchronous Connection制御部４０１を用いて、メモリ６の離席元の視聴情報をディジタルＴＶ１０１内のメモリ１０６に転送する（ステップＳ５１０）。